(57)【要約】【課題】コンタクトホールによる表示損失を防止できる半透過反射型の液晶装置、液晶装置の製造方法、および電子機器を提供すること。【解決手段】液晶装置は、液晶パネルおよびバックライト３１を備える。液晶パネルは、素子基板６０、対向基板７０、および液晶を備える。素子基板６０の透過領域５０Ａには、透明電極５５Ａが形成され、この透明電極５５Ａは、素子基板６０の反射領域５０Ｂに延設されてＴＦＴのドレイン電極に電気的に接続された画素電位側容量電極５３２に、電気的に接続される。素子基板６０の反射領域５０Ｂには、透明電極５５Ａのうち反射領域５０Ｂに延設された透明電極５５Ａおよび画素電位側容量電極５３２を覆って、反射部樹脂膜６５Ｂが形成され、反射部樹脂膜６５Ｂの上には、反射膜５８および透明電極５５Ｂが形成される。反射膜５８および透明電極５５Ｂは、透明電極５５Ａと電気的に接続される。【選択図】図３
2007304383.tif 000002
【特許請求の範囲】
【請求項１】
透過領域および反射領域を有する画素が複数配列された液晶パネルと、前記液晶パネル
に光を供給する照明と、を備え、
前記液晶パネルは、前記画素の反射領域に設けられたスイッチング素子を複数有する第
１の基板と、前記第１の基板に対向して設けられた第２の基板と、前記第１の基板および
前記第２の基板の間に挟持された液晶と、を備える液晶装置であって、
前記第１の基板の透過領域には、透明電極が形成され、
前記透明電極は、前記第１の基板の反射領域に延設されて前記スイッチング素子に電気
的に接続され、
前記第１の基板の反射領域には、前記透明電極のうち前記反射領域に延設された透明電
極と、前記スイッチング素子と、を覆って反射部樹脂膜が形成され、
前記反射部樹脂膜上には、反射電極が形成され、
前記反射電極は、前記透明電極と電気的に接続されることを特徴とする液晶装置。
【請求項２】
請求項１に記載の液晶装置において、
前記第１の基板の透過領域には、透過部樹脂膜が形成され、
前記透明電極は、前記透過部樹脂膜上に形成されることを特徴とする液晶装置。
【請求項３】
請求項２に記載の液晶装置において、
前記透過部樹脂膜は、ネガ型の樹脂材料で形成され、
前記反射部樹脂膜は、ポジ型の樹脂材料で形成されることを特徴とする液晶装置。
【請求項４】
請求項１乃至３のいずれか１項に記載の液晶装置において、
前記反射電極は、反射膜と、前記反射膜上に形成された透明電極と、で構成されること
を特徴とする液晶装置。
【請求項５】
請求項１乃至４のいずれか１項に記載の液晶装置を備えたことを特徴とする電子機器。
【請求項６】
透過領域および反射領域を有する画素が複数配列された液晶パネルと、前記液晶パネル
に光を供給する照明と、を備え、
前記液晶パネルは、前記画素の反射領域に設けられたスイッチング素子を複数有する第
１の基板と、前記第１の基板に対向して設けられた第２の基板と、前記第１の基板および
前記第２の基板の間に挟持された液晶と、を備える液晶装置の製造方法であって、
前記第１の基板の透過領域に、透過部樹脂膜を形成する手順と、
前記透過部樹脂膜および前記スイッチング素子上に透明電極を形成する手順と、
前記第１の基板の反射領域に、前記透明電極のうち前記反射領域に形成された透明電極
と、前記スイッチング素子と、を覆って反射部樹脂膜を形成する手順と、
前記反射部樹脂膜上に反射電極を形成し、前期反射電極を前記透明電極に電気的に接続
させる手順と、を備えることを特徴とする液晶装置の製造方法。
【発明の詳細な説明】
【技術分野】
【０００１】
本発明は、液晶装置、液晶装置の製造方法、および電子機器に関する。
【背景技術】
【０００２】
従来より、バックライトといった照明による照明光を利用する透過型表示と、自然光や
室内光といった周囲光の反射光を利用する反射型表示と、を兼ね備えた半透過反射型の液
晶装置がある（例えば、特許文献１参照）。
【０００３】
この特許文献１の液晶装置は、透過領域および反射領域を有する画素が複数配列された
液晶パネルと、この液晶パネルに光を供給するバックライトと、を備える。液晶パネルは
、画素の反射領域に設けられたスイッチング素子を複数有する素子基板と、この素子基板
に対向配置された対向基板と、素子基板および対向基板の間に設けられた液晶と、を備え
る。
【０００４】
素子基板には、スイッチング素子を覆って素子基板の全面に亘り、絶縁膜が形成され、
透過領域の絶縁膜の上には、画素電極として、ＩＴＯ（Indium  Tin  Oxide）やＩＺＯ（
Indium  Zinc  Oxide）等の透明導電体からなる透明電極が形成され、反射領域の絶縁膜
の上には、画素電極として、アルミニウム等の反射率の高い金属からなる反射電極が形成
される。
スイッチング素子の一端には、データ線が電気的に接続されている。スイッチング素子
の他端には、絶縁膜の一部を貫通して設けられたコンタクトホールを介して、透明電極お
よび反射電極が電気的に接続されている。
【０００５】
対向基板には、透明電極および反射電極に対向して、共通電極が形成される。
【０００６】
以上の特許文献１の液晶装置は、以下のように動作する。
すなわち、データ線に画像信号を供給すると、オン状態のスイッチング素子を介して、
画素電極としての透明電極および反射電極に画像信号に基づく画像データが書き込まれる
。
これら画素電極に画像データが書き込まれると、画素電極と共通電極との電位差により
、液晶に駆動電圧が印加され、液晶の配向や秩序が変化する。すると、透過領域では、配
向や秩序の変化した液晶によりバックライトからの光が変化して、階調表示が行われる。
一方、反射領域では、液晶パネルに入射された周囲光が反射電極により反射され、配向や
秩序の変化した液晶により反射光が変化して、階調表示が行われる。
【特許文献１】特開２００６−７８７８９号公報
【発明の開示】
【発明が解決しようとする課題】
【０００７】
ところで、コンタクトホールが形成された領域では、液晶に駆動電圧が印加されないの
で階調表示が行われず、表示損失が生じる。上述のように、特許文献１の液晶装置では、
スイッチング素子と画素電極とを電気的に接続するためにコンタクトホールが設けられて
いるので、このコンタクトホールにより表示損失が生じていた。
【０００８】
本発明は、コンタクトホールによる表示損失を防止できる半透過反射型の液晶装置、液
晶装置の製造方法、および電子機器を提供することを目的とする。
【課題を解決するための手段】
【０００９】
本発明の液晶装置は、透過領域および反射領域を有する画素が複数配列された液晶パネ
ルと、前記液晶パネルに光を供給する照明と、を備え、前記液晶パネルは、前記画素の反
射領域に設けられたスイッチング素子を複数有する第１の基板と、前記第１の基板に対向
して設けられた第２の基板と、前記第１の基板および前記第２の基板の間に挟持された液
晶と、を備える液晶装置であって、前記第１の基板の透過領域には、透明電極が形成され
、前記透明電極は、前記第１の基板の反射領域に延設されて前記スイッチング素子に電気
的に接続され、前記第１の基板の反射領域には、前記透明電極のうち前記反射領域に延設
された透明電極と、前記スイッチング素子と、を覆って反射部樹脂膜が形成され、前記反
射部樹脂膜上には、反射電極が形成され、前記反射電極は、前記透明電極と電気的に接続
されることを特徴とする。
【００１０】
この発明によれば、透明電極を介して、反射電極をスイッチング素子に電気的に接続し
た。このため、反射部樹脂膜にコンタクトホールを設けなくても、反射電極をスイッチン
グ素子に電気的に接続できる。よって、反射部樹脂膜にコンタクトホールを設けないこと
で、コンタクトホールによる表示損失を防止できる。
【００１１】
本発明の液晶装置では、前記第１の基板の透過領域には、透過部樹脂膜が形成され、前
記透明電極は、前記透過部樹脂膜上に形成されることが好ましい。
【００１２】
スイッチング素子が形成される層には、このスイッチング素子と電気的に接続される配
線が形成される。このため、第１の基板の透過領域において、上述の配線および透明電極
の間では、これらの間隔が小さいと、寄生容量が生じ、消費電力が増大する場合があった
。
そこで、この発明によれば、第１の基板の透過領域に透過部樹脂膜を形成し、この透過
部樹脂膜上に透明電極を形成した。すなわち、上述の配線および透明電極の間に、透過部
樹脂膜を形成した。このため、透過部樹脂膜の厚みにより、上述の配線および透明電極の
間隔が大きくなる。よって、上述の配線および透明電極の間で寄生容量が生じるのを抑制
して、消費電力の増大を抑制できる。
【００１３】
また、この発明によれば、透過部樹脂膜上に透明電極を形成し、この透明電極を第１の
基板の反射領域に延設させ、この第１の基板の反射領域に延設させた透明電極と、スイッ
チング素子と、を覆って反射部樹脂膜を形成した。すなわち、透過部樹脂膜を形成する工
程と、反射部樹脂膜を形成する工程との間に、透明電極を形成する工程を行った。このた
め、透過部樹脂膜および反射部樹脂膜を、それぞれ別工程で形成することになるので、そ
れぞれ異なる材料で形成できる。
【００１４】
本発明の液晶装置では、前記透過部樹脂膜は、ネガ型の樹脂材料で形成され、前記反射
部樹脂膜は、ポジ型の樹脂材料で形成されることが好ましい。
【００１５】
この発明によれば、透過部樹脂膜をネガ型の樹脂材料で形成した。ネガ型の樹脂材料は
、ポジ型の樹脂材料と比べて光の透過率が高い。このため、透過部樹脂膜の光の透過率を
高くして、透過部樹脂膜での光ロスを低減できる。
【００１６】
また、この発明によれば、反射部樹脂膜をポジ型の樹脂材料で形成した。ポジ型の樹脂
材料は、ネガ型の樹脂材料と比べて成形性に優れる。このため、例えば、反射部樹脂膜の
表面に凹部を設ける等、反射部樹脂膜の形状を複雑にすることができる。
【００１７】
本発明の液晶装置では、前記反射電極は、反射膜と、前記反射膜上に形成された透明電
極と、で構成されることが好ましい。
【００１８】
この発明によれば、反射膜および透明電極で反射電極を構成した。このため、反射電極
の反射膜により光を反射し、透明電極により液晶に駆動電圧を印加して、反射領域で反射
型表示を行うことができる。
【００１９】
本発明の電子機器は、上述の液晶装置を備えたことを特徴とする。
この発明によれば、上述した効果と同様の効果がある。
【００２０】
本発明の液晶装置の製造方法は、透過領域および反射領域を有する画素が複数配列され
た液晶パネルと、前記液晶パネルに光を供給する照明と、を備え、前記液晶パネルは、前
記画素の反射領域に設けられたスイッチング素子を複数有する第１の基板と、前記第１の
基板に対向して設けられた第２の基板と、前記第１の基板および前記第２の基板の間に挟
持された液晶と、を備える液晶装置の製造方法であって、前記第１の基板の透過領域に、
透過部樹脂膜を形成する手順と、前記透過部樹脂膜および前記スイッチング素子上に透明
電極を形成する手順と、前記第１の基板の反射領域に、前記透明電極のうち前記反射領域
に形成された透明電極と、前記スイッチング素子と、を覆って反射部樹脂膜を形成する手
順と、前記反射部樹脂膜上に反射電極を形成し、前期反射電極を前記透明電極に電気的に
接続させる手順と、を備えることを特徴とする。
この発明によれば、上述した効果と同様の効果がある。
【発明を実施するための最良の形態】
【００２１】
以下、本発明の実施形態を図面に基づいて説明する。なお、以下の実施形態および変形
例の説明にあたって、同一構成要件については同一符号を付し、その説明を省略もしくは
簡略化する。
＜実施形態＞
図１は、本発明の一実施形態に係る液晶装置１の構成を示すブロック図である。
液晶装置１は、液晶パネルＡＡと、この液晶パネルＡＡに光を供給する照明としてのバ
ックライト３１と、を備える。この液晶装置１は、バックライト３１からの光を利用する
透過型表示と、自然光や室内光といった周囲光の反射光を利用する反射型表示と、を兼ね
備えた半透過反射型表示を行う。
【００２２】
液晶パネルＡＡは、複数の画素５０を有する表示領域Ａと、この表示領域Ａの周辺に設
けられて画素５０を駆動する走査線駆動回路１１およびデータ線駆動回路２１と、を備え
る。
【００２３】
この液晶パネルＡＡは、複数の走査線１０と、これら複数の走査線１０に交差し所定間
隔おきに交互に設けられた複数のデータ線２０および複数の共通線３０と、を備え、各走
査線１０および各データ線２０の交差部には、画素５０が設けられている。
【００２４】
画素５０は、スイッチング素子としての薄膜トランジスタ（以降、ＴＦＴ（Thin  Film
Transistor）と呼ぶ）５１、画素電極５５、この画素電極５５に対向する共通電極５６
、および、一端が画素電極５５に電気的に接続され他端が共通線３０に電気的に接続され
た蓄積容量５３で構成される。
【００２５】
ＴＦＴ５１のゲート電極には、走査線１０が接続され、ＴＦＴ５１のソース電極には、
データ線２０が接続され、ＴＦＴ５１のドレイン電極には、画素電極５５および蓄積容量
５３が接続されている。画素電極５５と共通電極５６との間には、液晶が挟持される。し
たがって、このＴＦＴ５１は、走査線１０から選択電圧が印加されるとオン状態になり、
データ線２０と画素電極５５および蓄積容量５３とを導通状態とする。
【００２６】
走査線駆動回路１１は、ＴＦＴ５１をオン状態にする選択電圧を各走査線１０に順次供
給する。例えば、ある走査線１０に選択電圧が供給されると、この走査線１０に接続され
たＴＦＴ５１が全てオン状態になり、この走査線１０に係る画素５０が全て選択される。
【００２７】
データ線駆動回路２１は、画像信号を各データ線２０に供給し、オン状態のＴＦＴ５１
を介して、画素電極５５に画像データを順次書き込む。
【００２８】
以上の液晶装置１は、以下のように動作する。
すなわち、走査線駆動回路１１から走査線１０に選択電圧を順次供給することで、ある
走査線１０に係るＴＦＴ５１を全てオン状態にして、この走査線１０に係る画素５０を全
て選択する。そして、これら画素５０の選択に同期して、データ線駆動回路２１からデー
タ線２０に画像信号を供給する。すると、走査線駆動回路１１で選択した全ての画素５０
に、データ線２０からオン状態のＴＦＴ５１を介して画像信号が供給されて、画像データ
が画素電極５５に書き込まれる。
【００２９】
画素電極５５に画像データが書き込まれると、この画素電極５５と共通電極５６との間
に電位差が生じて、液晶に駆動電圧が印加される。したがって、画像信号の電圧レベルを
変化させることで、液晶の配向や秩序を変化させて、各画素５０の光変調による階調表示
を行う。
なお、液晶に印加される駆動電圧は、蓄積容量５３により、画像データが書き込まれる
期間よりも３桁も長い期間に亘って保持される。
【００３０】
図２は、液晶パネルＡＡの画素５０の拡大平面図である。図３は、液晶パネルＡＡのＡ
−Ａ断面図である。
【００３１】
図３に示すように、液晶パネルＡＡは、画素５０に対応して設けられたＴＦＴ５１を複
数有する第１の基板としての素子基板６０と、この素子基板６０に対向して設けられた第
２の基板としての対向基板７０と、素子基板６０および対向基板７０の間に挟持された液
晶と、から構成されている。
【００３２】
図２に示すように、素子基板６０において、各画素５０は、互いに隣り合う２本の遮光
性の導電材料からなる走査線１０と、互いに隣り合う２本の遮光性の導電材料からなるデ
ータ線２０と、で囲まれた領域に設けられている。つまり、各画素５０は、走査線１０と
データ線２０とで区画されている。
【００３３】
この各画素５０は、透過型表示を行う透過領域５０Ａと、反射型表示を行う反射領域５
０Ｂと、を備える。
画素電極５５は、透過領域５０Ａに設けられた透明電極５５Ａと、反射領域５０Ｂに設
けられた透明電極５５Ｂと、で構成される。これら透明電極５５Ａ、５５Ｂは、透明導電
体としてのＩＴＯからなる。
【００３４】
本実施形態では、ＴＦＴ５１は、逆スタガ型のアモルファスシリコンＴＦＴであり、反
射領域５０Ｂには、このＴＦＴ５１が形成される領域５０Ｃ（図２中破線で囲まれた部分
）が設けられている。
【００３５】
まず、素子基板６０について説明する。
素子基板６０は、ガラス基板６８を有し、このガラス基板６８の上には、ガラス基板６
８の表面荒れや汚れによるＴＦＴ５１の特性の変化を防止するために、全面に亘って下地
絶縁膜（図示省略）が形成されている。
【００３６】
下地絶縁膜の上には、遮光性の導電材料からなる走査線１０および共通線３０が形成さ
れている。
走査線１０は、隣接する画素５０の境界に沿って設けられ、データ線２０との交差部の
近傍において反射領域５０Ｂ側に突出し、ＴＦＴ５１のゲート電極５１１を構成する。
共通線３０は、透過領域５０Ａと反射領域５０Ｂとの境界に沿って設けられ、各画素５
０において反射領域５０Ｂ側に突出し、共通電位側容量電極５３１を構成する。
【００３７】
また、下地絶縁膜の上には、共通電位側容量電極５３１と同じ遮光性の導電材料からな
る平坦化膜５３１Ａが、共通電位側容量電極５３１と同一の膜厚で形成されている。この
ため、反射領域５０Ｂにおいて、共通電位側容量電極５３１が形成された領域と、共通電
位側容量電極５３１が形成されない領域とでは、光の透過率が均一になっている。また、
反射領域５０Ｂにおいて、共通電位側容量電極５３１の形成された層が平坦になっている
。
【００３８】
以上の走査線１０、共通線３０、ゲート電極５１１、共通電位側容量電極５３１、およ
び平坦化膜５３１Ａを覆って、透過領域５０Ａおよび反射領域５０Ｂには、ゲート絶縁膜
６２が形成されている。
【００３９】
ゲート絶縁膜６２の上のＴＦＴ５１が形成される領域５０Ｃには、ゲート電極５１１に
対向して、アモルファスシリコンからなる半導体層（図示省略）、Ｎ＋アモルファスシリ
コンからなるオーミックコンタクト層（図示省略）が積層されている。このオーミックコ
ンタクト層には、ソース電極５１２およびドレイン電極５１３が積層されて、これにより
、アモルファスシリコンＴＦＴが形成されている。
【００４０】
ドレイン電極５１３は、ゲート絶縁膜６２の上の反射領域５０ＢでかつＴＦＴ５１が形
成される領域５０Ｃを除く領域において、画素電位側容量電極５３２を構成する。すなわ
ち、画素電位側容量電極５３２は、ドレイン電極５１３に電気的に接続されている。この
画素電位側容量電極５３２は、ゲート絶縁膜６２を介して、上述の共通電位側容量電極５
３１に対向配置されている。これら共通電位側容量電極５３１および画素電位側容量電極
５３２は、蓄積容量５３を構成する。
【００４１】
ソース電極５１２は、データ線２０と同一の導電材料（同層）で形成されている。すな
わち、データ線２０からソース電極５１２が延出される構成となっている。データ線２０
は、走査線１０および共通線３０に対して交差するように設けられている。
上述のように、走査線１０および共通線３０の上には、ゲート絶縁膜６２が形成され、
このゲート絶縁膜６２の上には、データ線２０が形成されている。このため、データ線２
０は、走査線１０および共通線３０とは、ゲート絶縁膜６２により絶縁されている。
【００４２】
以上のデータ線２０、ソース電極５１２、ドレイン電極５１３、および画素電位側容量
電極５３２の一部を覆って、透過領域５０Ａおよび反射領域５０Ｂには、絶縁層としての
パッシベーション膜６４が形成されている。
【００４３】
パッシベーション膜６４の上の透過領域５０Ａには、透過部樹脂膜６５Ａが形成されて
いる。
【００４４】
透過部樹脂膜６５Ａの上の透過領域５０Ａには、透明電極５５Ａが形成されている。こ
の透明電極５５Ａは、反射領域５０Ｂの一部に延設され、画素電位側容量電極５３２のう
ち上述のパッシベーション膜６４が形成される領域を除く領域において、画素電位側容量
電極５３２に電気的に接続されている。
【００４５】
透明電極５５Ａのうち反射領域５０Ｂに延設された透明電極５５Ａと、パッシベーショ
ン膜６４と、画素電位側容量電極５３２のうち透明電極５５Ａが形成される領域を除く領
域と、を覆って、反射領域５０Ｂには、反射部樹脂膜６５Ｂが形成されている。
この反射部樹脂膜６５Ｂの液晶層側の表面には、複数の凹部６５１が形成されている。
【００４６】
反射部樹脂膜６５Ｂの上には、アルミニウムを主材とし、ニッケルが添加された材料か
らなる反射膜５８が形成されている。この反射膜５８は、周囲光を反射し、凹部６５１近
傍では、周囲光を散乱させる。また、この反射膜５８は、透過領域５０Ａおよび反射領域
５０Ｂの境界の近傍で、透明電極５５Ａに電気的に接続されている。
【００４７】
反射膜５８の上には、透明電極５５Ｂが形成されている。上述の反射膜５８および透明
電極５５Ｂは、反射電極を構成する。
【００４８】
透明電極５５Ａ、５５Ｂの上には、ポリイミド膜などの有機膜からなる配向膜（図示省
略）が形成されている。
【００４９】
次に、対向基板７０について説明する。
対向基板７０は、ガラス基板７４を有し、このガラス基板７４の走査線１０およびデー
タ線２０に対向する位置には、ブラックマトリクスとしての遮光膜７１が形成されている
。
【００５０】
ガラス基板７４および遮光膜７１の上には、カラーフィルタ７２が形成されている。本
実施形態では、透過領域５０Ａと反射領域５０Ｂとを結ぶ方向に隣り合う画素５０は、同
じ色の着色層を有している。カラーフィルタ７２の上には、透明電極５５Ａ、５５Ｂから
なる画素電極５５に対向するＩＴＯからなる共通電極５６が形成されている。共通電極５
６の上には、配向膜（図示省略）が形成されている。
【００５１】
以上の素子基板６０および対向基板７０は、フォトスペーサ４２により、所定の間隔を
空けて対向配置されている。これら素子基板６０と対向基板７０との間には、液晶層が形
成され、この液晶層は、素子基板６０および対向基板７０の周囲に形成されたシール材４
１（図５参照）により封止されている。
液晶層は、透過部樹脂膜６５Ａが形成された透過領域５０Ａでは、層厚が厚く、反射部
樹脂膜６５Ｂが形成された反射領域５０Ｂでは、層厚が薄く構成され、透過領域５０Ａと
反射領域５０Ｂとで光が液晶層を通過する光路（距離）が等しくなるように調整されてい
る。
【００５２】
素子基板６０および対向基板７０の表面には、図示しない位相差板や偏光板が設けられ
ている。
素子基板６０に対向する位置には、バックライト３１が設けられている。
【００５３】
次に、液晶装置１の透過型表示および反射型表示について説明する。
液晶装置１は、周囲光が少ない環境では、バックライト３１からの光を利用して、透過
型表示を行う。すなわち、図３中矢印で示すように、バックライト３１から出射された光
は、素子基板６０に設けられた偏光板（図示省略）で直線偏光となり、ガラス基板６８、
ゲート絶縁膜６２、パッシベーション膜６４、透過部樹脂膜６５Ａ、および透明電極５５
Ａを透過して、液晶層に入射する。
【００５４】
液晶層に入射した光は、透過領域５０Ａの透明電極５５Ａおよび共通電極５６の電位差
による印加電圧に応じて液晶により偏光方向が回転され、共通電極５６、カラーフィルタ
７２、およびガラス基板７４を透過して、対向基板７０に設けられた偏光板（図示省略）
に達する。偏光板に達した光は、液晶による偏光方向の回転量に応じて、偏光板を透過す
る。
【００５５】
一方、周囲光が十分にある環境では、周囲光の反射光を利用して、反射型表示を行う。
すなわち、図３中矢印で示すように、周囲光は、対向基板７０に設けられた偏光板（図示
省略）で直線偏光となり、ガラス基板７４、カラーフィルタ７２、および共通電極５６を
透過して、液晶層に入射する。液晶層に入射した光は、透明電極５５Ｂを透過して、反射
膜５８に達する。反射膜５８に達した光は、この反射膜５８で反射され、再び透明電極５
５Ｂを透過して液晶層に入射する。
【００５６】
液晶層に再び入射した光は、反射領域５０Ｂの透明電極５５Ｂおよび共通電極５６の電
位差による印加電圧に応じて液晶により偏光方向が回転され、再び、共通電極５６、カラ
ーフィルタ７２、およびガラス基板７４を透過して、対向基板７０に設けられた偏光板（
図示省略）に達する。偏光板に達した光は、液晶による偏光方向の回転量に応じて、偏光
板を透過する。
【００５７】
図４は、液晶パネルＡＡの平面図である。
液晶パネルＡＡの素子基板６０の上には、表示領域Ａの周辺に、走査線駆動回路１１や
データ線駆動回路２１を含む電子部品でなる駆動ＩＣ４０が設けられている。上述の走査
線１０およびデータ線２０は、この駆動ＩＣ４０に電気的に接続されている。
【００５８】
図５は、液晶パネルＡＡのＢ−Ｂ断面図である。
素子基板６０および対向基板７０の周囲には、液晶層を封止するシール材４１が設けら
れている。
素子基板６０の周縁部では、ガラス基板６８の上には、上述の下地絶縁膜（図示省略）
が形成され、この下地絶縁膜の上に走査線１０およびデータ線２０が形成されている。す
なわち、データ線２０は、素子基板６０の周縁部では、走査線１０と同層に形成されてい
る。また、これら走査線１０およびデータ線２０を覆ってゲート絶縁膜６２が形成され、
このゲート絶縁膜６２の上には、パッシベーション膜６４が形成されている。
【００５９】
ここで、素子基板６０の表示領域Ａにおいて、ゲート絶縁膜６２には、コンタクトホー
ル６２２が形成され、このコンタクトホール６２２を介して、ゲート絶縁膜６２の上に形
成されたデータ線２０が下地絶縁膜の上に形成されたデータ線２０に電気的に接続されて
いる。
【００６０】
また、素子基板６０の周縁部において、ゲート絶縁膜６２およびパッシベーション膜６
４には、コンタクトホール６２３が形成され、このコンタクトホール６２３を介して、下
地絶縁膜の上に形成された走査線１０およびデータ線２０が駆動ＩＣ４０に電気的に接続
されている。
【００６１】
次に、液晶パネルＡＡの素子基板６０の製造手順を図６（ａ）〜（ｆ）および図７（ａ
）〜（ｆ）を参照しながら説明する。
なお、図６（ａ）〜（ｆ）は、素子基板６０の表示領域Ａの製造手順であり、図２の液
晶パネルＡＡのＡ−Ａ断面に対応する。図７（ａ）〜（ｆ）は、素子基板６０の周縁部の
製造手順であり、図４の液晶パネルＡＡのＢ−Ｂ断面に対応する。
【００６２】
まず、素子基板６０の表示領域Ａに、走査線１０、共通線３０、ゲート電極５１１、共
通電位側容量電極５３１、および平坦化膜５３１Ａを形成し、素子基板６０の周縁部に、
走査線１０およびデータ線２０を形成する。
すなわち、スパッタリングにより、ガラス基板６８の全面に亘って金属層を形成する。
次に、この金属層が形成されたガラス基板６８にフォトリソグラフィおよびエッチングを
行う。
【００６３】
これにより、図６（ａ）に示すように、素子基板６０の表示領域Ａには、ガラス基板６
８の上に、走査線１０および共通線３０が形成される。また、データ線２０との交差部の
近傍において、走査線１０から反射領域５０Ｂ側に突出して、ゲート電極５１１が形成さ
れる。また、各画素５０において、共通線３０から反射領域５０Ｂ側に突出して、蓄積容
量５３の共通電位側容量電極５３１が形成される。また、各画素５０において、反射領域
５０Ｂのうち共通電位側容量電極５３１が形成される領域を除く領域に、平坦化膜５３１
Ａが形成される。
【００６４】
同時に、図７（ａ）に示すように、素子基板６０の周縁部には、ガラス基板６８の上に
、走査線１０およびデータ線２０が形成される。
【００６５】
次に、素子基板６０の表示領域Ａに、ゲート絶縁膜６２を形成し、素子基板６０の周縁
部に、ゲート絶縁膜６２およびコンタクトホール６２２、６２３を形成する。
すなわち、ＣＶＤ法により、素子基板６０の全面に亘って、ゲート絶縁膜６２を形成す
る。次に、このゲート絶縁膜６２が形成されたガラス基板６８にフォトリソグラフィおよ
びエッチングを行う。
【００６６】
これにより、図６（ｂ）に示すように、素子基板６０の表示領域Ａには、走査線１０、
共通線３０、ゲート電極５１１、共通電位側容量電極５３１、および平坦化膜５３１Ａを
覆って、ゲート絶縁膜６２が形成される。
【００６７】
同時に、図７（ｂ）に示すように、素子基板６０の周縁部には、走査線１０およびデー
タ線２０を覆って、ゲート絶縁膜６２が形成される。このゲート絶縁膜６２には、下地絶
縁膜の上に形成されたデータ線２０をゲート絶縁膜６２の上に形成されたデータ線２０に
電気的に接続するためのコンタクトホール６２２と、下地絶縁膜の上に形成された走査線
１０およびデータ線２０を駆動ＩＣ４０に電気的に接続するためのコンタクトホール６２
３と、が形成される。
【００６８】
次に、素子基板６０の表示領域Ａに、データ線２０、ソース電極５１２、ドレイン電極
５１３、および画素電位側容量電極５３２を形成し、素子基板６０の周縁部に、データ線
２０を形成する。
すなわち、スパッタリングにより、素子基板６０の全面に亘って、金属層を形成する。
次に、この金属層が形成された素子基板６０にフォトリソグラフィおよびエッチングを行
う。
【００６９】
これにより、図６（ｃ）に示すように、素子基板６０の表示領域Ａには、ゲート絶縁膜
６２の上の反射領域５０ＢでかつＴＦＴ５１が形成される領域５０Ｃを除く領域に、蓄積
容量５３の画素電位側容量電極５３２が形成される。
また、ゲート絶縁膜６２の上のＴＦＴ５１が形成される領域５０Ｃに、ゲート電極５１
１に対向して、アモルファスシリコンからなる半導体層（図示省略）、Ｎ＋アモルファス
シリコンからなるオーミックコンタクト層（図示省略）が積層される。このオーミックコ
ンタクト層には、ソース電極５１２およびドレイン電極５１３が積層されて、これにより
、アモルファスシリコンＴＦＴが形成される。ソース電極５１２は、データ線２０と同一
の導電材料（同層）で形成される。
【００７０】
同時に、図７（ｃ）に示すように、素子基板６０の周縁部には、ゲート絶縁膜６２の上
に、データ線２０が形成される。このゲート絶縁膜６２の上に形成されたデータ線２０は
、コンタクトホール６２２を介して、下地絶縁膜の上に形成されたデータ線２０に電気的
に接続されている。また、ゲート絶縁膜６２の上に形成されたデータ線２０と同一の導電
材料は、コンタクトホール６２３にも形成される。
【００７１】
次に、素子基板６０の表示領域Ａに、パッシベーション膜６４を形成し、素子基板６０
の周縁部に、パッシベーション膜６４およびコンタクトホール６２３を形成する。
すなわち、ＣＶＤ法により、素子基板６０の全面に亘って、パッシベーション膜６４を
形成する。次に、このゲート絶縁膜６２が形成されたガラス基板６８にフォトリソグラフ
ィおよびエッチングを行う。
【００７２】
これにより、図６（ｄ）に示すように、素子基板６０の表示領域Ａには、データ線２０
、ソース電極５１２、ドレイン電極５１３、および画素電位側容量電極５３２の一部を覆
って、パッシベーション膜６４が形成される。
【００７３】
同時に、図７（ｄ）に示すように、素子基板６０の周縁部には、ゲート絶縁膜６２およ
びデータ線２０を覆って、パッシベーション膜６４が形成される。このパッシベーション
膜６４には、下地絶縁膜の上に形成された走査線１０およびデータ線２０を駆動ＩＣ４０
に電気的に接続するためのコンタクトホール６２３が形成される。
【００７４】
次に、素子基板６０の表示領域Ａに、透過部樹脂膜６５Ａおよび透明電極５５Ａを形成
し、素子基板６０の周縁部に、導通電極６７を形成する。
すなわち、まず、ネガ型の樹脂材料を用いて、パッシベーション膜６４の上にフォトリ
ソグラフィおよび熱処理を行う。次に、スパッタリングにより、素子基板６０の全面に亘
って、非晶質のＩＴＯ薄膜を形成する。次に、この非晶質のＩＴＯ薄膜が形成されたガラ
ス基板６８にフォトリソグラフィ、エッチング、および熱処理を行って、所定の領域に結
晶化したＩＴＯ薄膜を形成する。
なお、透過部樹脂膜６５Ａの製造手順は、素子基板６０の周縁部には、行わない。
【００７５】
これにより、図６（ｅ）に示すように、素子基板６０の表示領域Ａには、パッシベーシ
ョン膜６４の上に、透過部樹脂膜６５Ａが形成される。また、この透過部樹脂膜６５Ａお
よび画素電位側容量電極５３２の一部の上に、透明電極５５Ａが形成される。
【００７６】
同時に、図７（ｅ）に示すように、素子基板６０の周縁部には、コンタクトホール６２
３に形成されたデータ線２０と同一の導電材料の上に、導通電極６７が形成される。
【００７７】
次に、素子基板６０の表示領域Ａに、反射部樹脂膜６５Ｂ、反射膜５８、および透明電
極５５Ｂを形成する。
すなわち、まず、ポジ型の樹脂材料を用いて、透明電極５５Ａの一部と、パッシベーシ
ョン膜６４と、ドレイン電極５１３と、画素電位側容量電極５３２の一部と、を覆って、
フォトリソグラフィおよび熱処理を行う。次に、アルミニウムを主材とし、ニッケルが添
加された材料を用いて、スパッタリングにより、素子基板６０のうち反射部樹脂膜６５Ｂ
の上に、反射層を形成する。次に、スパッタリングにより、この反射層が形成された素子
基板６０の全面に亘って、非晶質のＩＴＯ薄膜を形成する。次に、この非晶質のＩＴＯ薄
膜が形成されたガラス基板６８にフォトリソグラフィ、エッチング、および熱処理を行っ
て、所定の領域に結晶化したＩＴＯ薄膜を形成する。
なお、反射部樹脂膜６５Ｂ、反射層、および結晶化したＩＴＯ薄膜の製造手順は、素子
基板６０の周縁部には、行わない。
【００７８】
これにより、図６（ｆ）に示すように、素子基板６０の表示領域Ａには、透明電極５５
Ａの一部と、パッシベーション膜６４と、ドレイン電極５１３と、画素電位側容量電極５
３２の一部と、を覆って、表面に凹部６５１を有する反射部樹脂膜６５Ｂが形成される。
また、この反射部樹脂膜６５Ｂの上に、反射膜５８が形成される。この反射膜５８は、透
明電極５５Ａと電気的に接続されている。また、反射膜５８の上に、透明電極５５Ｂが形
成される。
なお、上述のように、共通電位側容量電極５３１が形成された層と同一の層には、平坦
化膜５３１Ａが形成されているので、共通電位側容量電極５３１の形成された層が平坦に
なっている。このため、複数の凹部６５１を均一に反射部樹脂膜６５Ｂの表面に形成でき
る。
【００７９】
また、図７（ｆ）に示すように、素子基板６０の周縁部には、反射部樹脂膜６５Ｂ、反
射膜５８、および透明電極５５Ｂは、形成されない。
【００８０】
本実施形態によれば、以下のような効果がある。
（１）画素電位側容量電極５３２、透明電極５５Ａ、および反射膜５８を介して、透明
電極５５ＢをＴＦＴ５１のドレイン電極５１３に電気的に接続した。このため、反射部樹
脂膜６５Ｂにコンタクトホールを設けなくても、透明電極５５ＢをＴＦＴ５１のドレイン
電極５１３に電気的に接続できる。よって、反射部樹脂膜６５Ｂにコンタクトホールを設
けないことで、コンタクトホールによる表示損失を防止できる。
【００８１】
（２）素子基板６０の透過領域５０Ａに透過部樹脂膜６５Ａを形成し、この透過部樹脂
膜６５Ａの上に透明電極５５Ａを形成した。すなわち、走査線１０、データ線２０、およ
び共通線３０と透明電極５５Ａとの間に、透過部樹脂膜６５Ａを形成した。このため、透
過部樹脂膜６５Ａの厚みにより、走査線１０、データ線２０、および共通線３０と透明電
極５５Ａとの間隔が大きくなる。よって、走査線１０、データ線２０、および共通線３０
と透明電極５５Ａとの間で寄生容量が生じるのを抑制して、消費電力の増大を抑制できる
。
【００８２】
（３）透過部樹脂膜６５Ａの上に透明電極５５Ａを形成し、この透明電極５５Ａを素子
基板６０の反射領域５０Ｂに延設させ、この素子基板６０の反射領域５０Ｂに延設させた
透明電極５５Ａと、パッシベーション膜６４と、ＴＦＴ５１のドレイン電極５１３と、画
素電位側容量電極５３２のうち透明電極５５Ａが形成される領域を除く領域と、を覆って
、反射部樹脂膜６５Ｂを形成した。すなわち、透過部樹脂膜６５Ａを形成する工程と、反
射部樹脂膜６５Ｂを形成する工程との間に、透明電極５５Ａを形成する工程を行った。こ
のため、透過部樹脂膜６５Ａおよび反射部樹脂膜６５Ｂを、それぞれ別工程で形成するこ
とになるので、それぞれ異なる材料で形成できる。
【００８３】
（４）透過部樹脂膜６５Ａをネガ型の樹脂材料で形成した。ネガ型の樹脂材料は、ポジ
型の樹脂材料と比べて光の透過率が高い。このため、透過部樹脂膜６５Ａの光の透過率を
高くして、透過部樹脂膜６５Ａでの光ロスを低減できる。
【００８４】
（５）反射部樹脂膜６５Ｂをポジ型の樹脂材料で形成した。ポジ型の樹脂材料は、ネガ
型の樹脂材料と比べて成形性に優れる。このため、反射部樹脂膜６５Ｂの液晶層側の表面
に複数の凹部６５１を形成できる。
【００８５】
（６）反射膜５８および透明電極５５Ｂで反射電極を構成した。このため、反射電極の
反射膜５８により光を反射し、反射電極の透明電極５５Ｂにより液晶に駆動電圧を印加し
て、反射領域５０Ｂで反射型表示を行うことができる。
【００８６】
＜変形例＞
なお、本発明は上述の実施形態に限定されるものではなく、本発明の目的を達成できる
範囲での変形、改良等は本発明に含まれるものである。
例えば、上述の実施形態では、ＴＮ（Twisted  Nematic）液晶や負の誘電率を用いた液
晶を用いてもよい。また、液晶の表示モードとしては、ＩＰＳ（In-Plane  Switching）
やＦＦＳ（Fringe-Field  Switching）等でもよい。
【００８７】
また、上述の実施形態におけるバックライト３１としては、発光ダイオード（ＬＥＤ）
や、冷陰極蛍光管（ＣＣＦＬ）等であってよい。
【００８８】
＜応用例＞
次に、上述した実施形態に係る液晶装置１を適用した電子機器について説明する。
図８は、液晶装置１を適用した携帯電話機３０００の構成を示す斜視図である。携帯電
話機３０００は、複数の操作ボタン３００１およびスクロールボタン３００２、ならびに
液晶装置１を備える。スクロールボタン３００２を操作することによって、液晶装置１に
表示される画面がスクロールされる。
【００８９】
なお、液晶装置１が適用される電子機器としては、図８に示すもののほか、パーソナル
コンピュータ、情報携帯端末、デジタルスチルカメラ、液晶テレビ、ビューファインダ型
、モニタ直視型のビデオテープレコーダ、カーナビゲーション装置、ページャ、電子手帳
、電卓、ワードプロセッサ、ワークステーション、テレビ電話、ＰＯＳ端末、タッチパネ
ルを備えた機器などが挙げられる。そして、これらの各種電子機器の表示部として、上述
の液晶装置が適用可能である。
【図面の簡単な説明】
【００９０】
【図１】本発明の一実施形態に係る液晶装置の構成を示すブロック図である。
【図２】前記液晶装置における液晶パネルの画素の拡大平面図である。
【図３】前記液晶装置における液晶パネルのＡ−Ａ断面図である。
【図４】前記液晶装置における液晶パネルの平面図である。
【図５】前記液晶装置における液晶パネルのＢ−Ｂ断面図である。
【図６】前記液晶装置における素子基板の表示領域の製造手順を示す図である。
【図７】前記液晶装置における素子基板の周縁部の製造手順を示す図である。
【図８】上述の液晶装置を適用した携帯電話機の構成を示す斜視図である。
【符号の説明】
【００９１】
１…液晶装置、１０…走査線、２０…データ線、３０…共通線、３１…バックライト（
照明）、５０…画素、５０Ａ…透過領域、５０Ｂ…反射領域、５１…ＴＦＴ（スイッチン
グ素子）、５５Ａ、５５Ｂ…透明電極、５８…反射膜、６０…素子基板（第１の基板）、
６５Ａ…透過部樹脂膜、６５Ｂ…反射部樹脂膜、６５１…凹部、７０…対向基板（第２の
基板）、３０００…携帯電話機（電子機器）、ＡＡ…液晶パネル。
【図１】
2007304383.tif 000003
【図２】
2007304383.tif 000004
【図３】
2007304383.tif 000005
【図４】
2007304383.tif 000006
【図５】
2007304383.tif 000007
【図６】
2007304383.tif 000008
【図７】
2007304383.tif 000009
【図８】
2007304383.tif 000010